(57)【要約】【課題】常時着用に際して、日常作業に支障のない救命胴衣であり、緊急時には水中で直ちに自動ガス充気装置が作動する常時着用型救命胴衣であって、作業時に襟が立ち上がるのを防止し、襟元で固定している面ファスナーが離脱しない常時着用型救命胴衣を提供する。【解決手段】左右二つの内側気室カバーと左右二つの外側気室カバーよりなる袋状前身ごろとメッシュ製胴衣背当部を結合してなる袖無し胴衣であって、左右二つの袋状前身ごろの内面に長尺の浮力体が収納され、該浮力体に連通する自動ガス充気装置が取り付けられ、袋状前身ごろの脇縁に設けた二つの前身ごろの面ファスナーによって該浮力体が封鎖固定されてなり、前身ごろの長さは、４００〜７００ｍｍであり、前身ごろ及び胴衣背当部の下縁を結合するベルトを有する常時着用型救命胴衣において、メッシュ製胴衣背当部上縁が袋状前身ごろの襟元部と結合され、袋状前身ごろの襟の外縁とメッシュ製胴衣背当部が面ファスナーによって固定されてなる常時着用型救命胴衣。【選択図】図２
2004244009.tif 000002
【特許請求の範囲】
【請求項１】
左右二つの内側気室カバーと左右二つの外側気室カバーよりなる袋状前身ごろとメッシュ製胴衣背当部を結合してなる袖無し胴衣であって、胴衣背当部上部を通過し、左右二つの袋状前身ごろの内面に長尺の浮力体が収納され、該浮力体に連通する自動ガス充気装置が取り付けられ、互いに対向する内側気室カバーと外側気室カバーよりなる袋状前身ごろの脇縁に設けた二つの前身ごろの面ファスナーによって該浮力体が封鎖固定されてなり、前身ごろの長さは、４００〜７００ｍｍであり、前身ごろ及び胴衣背当部の下縁を結合するベルトを有する常時着用型救命胴衣において、メッシュ製胴衣背当部上縁が袋状前身ごろの襟元部と結合され、袋状前身ごろの襟の外縁とメッシュ製胴衣背当部が面ファスナーによって固定されてなることを特徴とする常時着用型救命胴衣。
【請求項２】
内側気室カバーの自動ガス充気装置の注水孔より下の位置に、通気シートを有する請求項１記載の常時着用型救命胴衣。
【請求項３】
通気シートが、網地を有するシートである請求項２記載の常時着用型救命胴衣。
【請求項４】
通気シートが、穴を有するシートである請求項２記載の常時着用型救命胴衣。
【請求項５】
内側気室カバーの自動ガス充気装置の注水孔より上の位置に、脱気孔を有する請求項２記載の常時着用型救命胴衣。
【請求項６】
袋状前身ごろの襟の外縁に設けた襟元固定面ファスナーとメッシュ製胴衣背当部上縁との間隔が３ｃｍ以内である請求項１記載の常時着用型救命胴衣。
【発明の詳細な説明】
【技術分野】
【０００１】
本発明は、常時着用型救命胴衣に関する。さらに詳しくは、緊急時にのみ着用する救命胴衣ではなく、乗船中は常時着用し、水上作業中に水に落ちても、内蔵している自動ガス充気装置が即座に作動し、直ちに救命胴衣として役立つ安全な救命胴衣に関する。
【背景技術】
【０００２】
従来より、沈没又は墜落等の緊急時に直面したときに着用する救命胴衣と、緊急時になる前から常時着用する常時着用型救命胴衣が知られていた。
水上において激しい作業を行う例えば漁船又は海上レジャー船舶等では、船の定員数の常時着用型救命胴衣が定員数に対応して常備品として備え付けることが望ましく、また、これらの船舶では、常時着用型救命胴衣の常備が法的に規制される傾向にある。特に近年は、小型漁船における漁業従事者の高齢化と一人乗り操業化や、プレジャーボートへの小児の乗船などによる事故が増加している。あらかじめ海難が予測される場合には、常時着用型救命胴衣の手動用作動索を牽引し、自動ガス充気装置を作動させることにより、浮力体を膨張させることができる。しかし、予想もしていない状況で水中に転落したときには、自動ガス充気装置の水没による自動的な作動に頼らざるを得ない場合も少なくない。このような場合には、一刻も早く自動ガス充気装置の注水孔から水が浸入して、自動ガス充気装置が作動することが望まれる。
また、常時着用型救命胴衣は、これを着用したまま作業を行う必要があるため、軽量であるのみでなく、緊急時以外の日常作業時に手足の行動がなるべく自由である必要がある。特に常時着用型救命胴衣の前身ごろの長さが長いと作業中にしゃがんだとき、又は手作業を行うときに、常時着用型救命胴衣の下縁が邪魔になるため常時着用型救命胴衣の作業時の前身ごろの長さは短い方が望ましい。
また、従来の常時着用型救命胴衣は、胴衣背当部が船上作業者の体の動きによって胴部のベルトに下向きに引っ張られ、襟が立ち上がり首にまとわりつく欠点があった。
【発明の開示】
【発明が解決しようとする課題】
【０００３】
本発明は、常時着用に際して、日常作業に支障のない救命胴衣であり、緊急時には水中で直ちに自動ガス充気装置が作動する常時着用型救命胴衣であって、作業時に襟が立ち上がるのを防止し、襟元で固定している面ファスナーが離脱しない常時着用型救命胴衣を提供することを目的とするものである。
【課題を解決するための手段】
【０００４】
本発明者らは、上記の課題を解決すべく鋭意研究を重ねた結果、常時着用型救命胴衣の内側気室カバーの自動ガス充気装置の注水孔より下の位置に通気シートを設けることにより、着用者が水中に転落したとき、通気シートを通じて袋状前身ごろの中に速やかに水が浸入して自動ガス充気装置を作動させることができ、また、船上作業者の体の動きと襟元固定面ファスナーの離脱の関係を仔細に観察し、襟元固定面ファスナーの離脱は胴背当部と襟元との結合位置に起因することを見いだし、鋭意研究の結果、襟の外縁に設けた襟元固定面ファスナーから特定の位置にメッシュ製胴背当部の上縁をとりつけることにより上記課題を解決できることを見出し、この知見に基づいて、本発明を完成するに至った。
すなわち本発明は、
（１）左右二つの内側気室カバーと左右二つの外側気室カバーよりなる袋状前身ごろとメッシュ製胴衣背当部を結合してなる袖無し胴衣であって、胴衣背当部上部を通過し、左右二つの袋状前身ごろの内面に長尺の浮力体が収納され、該浮力体に連通する自動ガス充気装置が取り付けられ、互いに対向する内側気室カバーと外側気室カバーよりなる袋状前身ごろの脇縁に設けた二つの前身ごろの面ファスナーによって該浮力体が封鎖固定されてなり、前身ごろの長さは、４００〜７００ｍｍであり、前身ごろ及び胴衣背当部の下縁を結合するベルトを有する常時着用型救命胴衣において、メッシュ製胴衣背当部上縁が袋状前身ごろの襟元部と結合され、袋状前身ごろの襟の外縁とメッシュ製胴衣背当部が面ファスナーによって固定されてなることを特徴とする常時着用型救命胴衣、
（２）内側気室カバーの自動ガス充気装置の注水孔より下の位置に、通気シートを有する(１)記載の常時着用型救命胴衣、
（３）通気シートが、網地を有するシートである(２)記載の常時着用型救命胴衣、
（４）通気シートが、穴を有するシートである(２)記載の常時着用型救命胴衣、
（５）内側気室カバーの自動ガス充気装置の注水孔より上の位置に、脱気孔を有する(２)記載の常時着用型救命胴衣、及び、
（６）袋状前身ごろの襟の外縁に設けた襟元固定面ファスナーとメッシュ製胴衣背当部上縁との間隔が３ｃｍ以内である(１)記載の常時着用型救命胴衣、
を提供するものである。
【発明の効果】
【０００５】
本発明によれば、日常作業に支障のない着心地と作業性が良く、作業時に襟が立ち上がるのを防止でき、緊急時には水中で直ちに自動ガス充気装置が作動する常時着用型救命胴衣を提供することができる。
【発明を実施するための最良の形態】
【０００６】
本発明の常時着用型救命胴衣の一態様を図面によって説明するが、これによって、本発明はなんら限定されるものではない。
本発明常時着用型救命胴衣Ａに用いる内側気室カバー１は、救命胴衣の袋状前身ごろの内側部分であって、外側気室カバー２とともに浮力体４を収納し、保護する役目を果たすものである。本発明に用いる内側気室カバー１は、救命胴衣の気室カバーに使用する公知のものを特に制限なく使用することができる。例えば、６ナイロン、６６ナイロン等のポリアミド樹脂、ポリエチレンテレフタレート、ポリブチレンテレフタレート等のポリエステル樹脂、ポリアクリロニトリル樹脂、ポリアラミド樹脂、ポリエチレン、ポリプロピレン、ポリブチレン等のポリオレフィン樹脂、エチレン酢ビ共重合物、ポリビニルアセテート、ポリビニルアルコールポリビニルアセテート共重合物、ポリウレタン、ポリ塩化ビニル、ポリ塩化ビニリデン等の樹脂を単独又は混合使用して繊維化し、これより得られた合成繊維織布等を使用することができる。ポリアミド樹脂又はポリエステル樹脂より得られる合成繊維織布を特に好適に使用することができる。合成繊維素材以外でも、本発明救命胴衣に用いる内側気室カバーに適合するものであれば、天然素材の布地を使用することができる。天然素材の布地としては、綿糸、麻糸、羊毛等による繊維織布を単独又は混合して使用することができる。
本発明救命胴衣に用いる内側気室カバー１には、着水時に自動ガス充気装置Ｂが迅速に作動するように、自動ガス充気装置Ｂの注水孔８より下の位置に通気シート６を設けることができる。内側気室カバーの自動ガス充気装置の注水孔より下の位置に通気シートを設けることにより、着用者が水中に転落したときに、水が通気シートを経由して袋状前身ごろの内部に浸入し、速やかに自動ガス充気装置を作動させることができる。内側気室カバーが通気シートを有しない従来の常時着用型救命胴衣は、水没したときの袋状前身ごろの内部への水の浸入経路は、内側気室カバーと外側気室カバーとの隙間に限られるので、内側気室カバーが通気シートを有する本発明の常時着用型救命胴衣は、はるかに短時間で自動ガス充気装置を作動させることができる。
本発明の常時着用型救命胴衣は、内側気室カバーに通気シートを有することが好ましい。外側気室カバーに通気シートを設けると、着用者が波しぶきなどをかぶったときに通気シートから水が浸入して、自動ガス充気装置が誤作動を起こすおそれがある。内側気室カバーに通気シートを設けることにより、着用者が水中に転落するような常時着用型救命胴衣が水没する場合にのみ、袋状前身ごろの内部に水が浸入するので、自動ガス充気装置の誤作動を防ぐことができる。
本発明の常時着用型救命胴衣は、自動ガス充気装置の注水孔より下の位置に通気シートを有することが好ましい。緊急時に着用者が水中に跳び込む場合は足先から跳び込み、誤って水中に転落した場合でも、救命胴衣は着用者の頭部が水面上に出るように設計されているので、常時着用型救命胴衣は、水中では胴衣背当部上部が上方に、前身ごろ及び胴衣背当部の下縁を結合するベルトが下方に位置する状態になる。したがって、水は自動ガス充気装置の注水孔より下の位置に設けられた通気シートから浸入して、上昇しつつ袋状前身ごろの内部を満たしていき、速やかに自動ガス充気装置の注水孔に到着する。
本発明に用いる通気シートは、水柱２００ｍｍ以上の圧力において水が通過する材料であれば特に制限はなく、例えば、網地を有するシート、金網を有するシート、プラスチック網を有するシート、穴を有するシートなどを挙げることができる。これらの中で、網地を有するシート及び穴を有するシートを好適に用いることができる。
図１に示す態様の常時着用型救命胴衣は、内側気室カバーの自動ガス充気装置の注水孔より下の位置に網地を有する通気シート６を備えている。網地を有する通気シートは、繊維製品からなるので、網目ずれを起こしにくく、内側気室カバーと容易に接合することができる。使用する網地に特に制限はなく、例えば、本目網、蛙股網などの有結節網、貫通式、千鳥式、亀甲式、ラッセル、もじ網、織り網などの無結節網などを挙げることができる。
図５に示す態様の常時着用型救命胴衣は、内側気室カバーの自動ガス充気装置の注水孔より下の位置に穴を有する通気シート６'を備えている。穴を有する通気シートは、容易に作製することができる。通気シートの穴の数に特に制限はなく、１個とすることができ、あるいは、複数個とすることもできる。穴の形状に特に制限はなく、例えば、円形、楕円形、多角形などを挙げることができる。穴を設ける通気シートの材質に特に制限はなく、例えば、プラスチックシート、織物、編物、コーティング布などを挙げることができ、さらに、内側気室カバーに直接穴を開けて、通気シートとすることもできる。穴を補強してほつれなどを防ぐために、穴に鳩目を打ちつけ、あるいは、穴かがりをすることができる。
図６は、通気シートに設ける穴の一態様の説明図である。本態様の穴は、点線で示す円形の穴２２が、該円形より大きい円の優弧と弦とからなるカバー２３で覆われ、優弧の部分がシートに接合され、弦の部分が下方に向かって開いている。本態様の穴は、平常はカバーに保護されて水が浸入することはないが、常時着用型救命胴衣が水没すると、カバーの弦２４の部分から水が浸入して、袋状前身ごろの内部を満たし、自動ガス充気装置の注水孔に到着する。
本発明の常時着用型救命胴衣は、内側気室カバーの自動ガス充気装置の注水孔より上の位置に脱気孔を有することが好ましい。図７は、本発明の常時着用型救命胴衣の他の態様の説明図である。本態様の常時着用型救命胴衣は、自動ガス充気装置の注水孔８より上の位置に、脱気孔２５を有する。自動ガス充気装置の注水孔より上の位置に脱気孔を設けることにより、通水シートを経由して袋状前身ごろの内部に浸入した水に押し出される空気は、脱気孔から脱出するので、浸入する水の流動抵抗が小さくなり、短時間で自動ガス充気装置に達して、該装置を作動させることができる。特に、図７に示す態様のように、自動ガス充気装置の注水孔の直上に脱気孔が存在する場合は、袋状前身ごろの内部に浸入した水は、袋状前身ごろの内部を均一に満たしていくのではなく、通水シート６から脱気孔２５の間に細く速い水の流れが形成されるので、水は極めて短時間で自動ガス充気装置の注水孔８に達する。
本発明救命胴衣に用いる外側気室カバー２は、救命胴衣の袋状前身ごろの外側部分であって、内側気室カバーとともに浮力体を収納し、保護する役目を果たすものである。本発明に用いる外側気室カバー２は、救命胴衣の気室カバーに使用する公知のものを特に制限なく使用することができる。内側気室カバー１と同質のものを好適に使用することができる。
【０００７】
本発明に用いる袋状前身ごろは、左右両方の内側気室カバー１と外側気室カバー２が襟元部で連結し、救命胴衣の両側前部分を袋状に形成し、首部固定ベルト２０を通って左右両方の袋状前身ごろの内面に長尺の浮力体４を収納し、肩の線でメッシュ製胴衣背当部３と接合し一体化して袖無し胴衣を形成することができる。着用者の前正面、左右の合わせ縁部分で面ファスナーまたは紐等によって左右の前身ごろを結合することができる。ガス注入による浮力体の膨脹時には、袋状前身ごろの脇縁Ｃに設けた前身ごろの脇縁面ファスナー５による封鎖が解除され、膨脹した浮力体４に押されて、袋状前身ごろの脇縁Ｃ及び前身ごろの脇縁面ファスナー５は反転して着用者の前正面に移動する。
本発明救命胴衣に用いるメッシュ製胴衣背当部３は、作業時の発汗などによる蒸れを放散させるためメッシュシート材でできている。用いるメッシュシート材は、作業時に捩れを生じないものであれば、公知のものを、特に制限なく使用することができる。
本発明救命胴衣に用いる浮力体４は、膨脹式救命胴衣の浮力体に用いるものを特に制限なく使用することができる。本発明救命胴衣に用いる浮力体は、長手方向の長さが１,０００〜１,４００ｍｍであり、幅が９０〜２００ｍｍのものを使用することができる。
膨脹式救命胴衣の浮力は、浮力体４の袋部のサイズと注入ガス量と浮力体の伸び量によって決まる。浮力体の袋部のサイズは、所要浮力、身長、装着すべき救命胴衣のサイズ等に対応して決めることができる。浮力体の長手方向の長さが１,０００〜１,４００ｍｍであることによって、作業性を良くするための必要条件である袋状前身ごろの長さ４００〜７００ｍｍに適合できる。１,０００ｍｍより短ければ、所要浮力に対応する浮力体膨脹時内容積を保有できず、１,４００ｍｍより大きければ袋状前身ごろより長すぎて逸脱する。浮力体の幅９０〜２００ｍｍは、当該救命胴衣の所要浮力に対応する浮力体膨脹時内容積と前記長手方向の長さとの関係によって決定される。浮力体の幅が９０ｍｍより小さければ、折り曲げて収納するとき形状変形折れこみが大きくなりガスの流れを阻害する。２００ｍｍより大きければ浮力体膨脹時内容積に対応する長手方向の長さが短くなりすぎる。
【０００８】
本発明救命胴衣に用いる浮力体は、緊急時には浮力体に連結した自動ガス充気装置Ｂからガスが噴出注入され瞬時に最大容積にまで膨脹する必要がある。この目的を達成できるものであれば、公知のものを特に制限なく使用することができ、例えば、合成繊維の布地に気密性がよく、熱融着性の樹脂をコーティングし、所定の形状に裁断し、ウエルダー等によって熱融着して袋状にしたものを使用することができる。ポリアミド又はポリエステル繊維布地にエチレン酢ビ共重合樹脂又はポリウレタン樹脂をコーティングしたものを特に好適に使用することができる。
本発明救命胴衣は常時着用を目的とするため軽量である必要があり浮力体も薄くて丈夫な材料が望ましい。
本発明救命胴衣の浮力体の布地は、前記要件に適合するものであれば、公知の材料を特に制限なく使用することができる。合成繊維素材を使用した布地を特に好適に使用することができる。合成繊維素材としては、例えば、６ナイロン、６６ナイロン等のポリアミド樹脂、ポリエチレンテレフタレート、ポリブチレンテレフタレート等のポリエステル樹脂、ポリアクリロニトリル樹脂、ポリアラミド樹脂、ポリエチレン、ポリプロピレン、ポリブチレン、エチレン酢ビ共重合物、ポリビニルアセテート、ポリビニルアルコールポリビニルアセテート共重合物、ポリウレタン、ポリ塩化ビニル、ポリ塩化ビニリデン等を単独又は混合して使用することができる。ポリアミド樹脂、ポリエステル樹脂を特に好適に使用することができる。合成繊維素材以外でも、本発明に適合するものであれば、天然素材の布地に気密性が良く、熱融着性のある樹脂をコーティングし、所定の形状に裁断し、ウエルダー等によって熱融着して袋状にしたものを使用することができる。天然素材の布地としては、綿糸、麻糸、羊毛等による繊維織布を単独又は混合して使用することができる。
本発明に用いる胴衣背当部は、作業時の発汗などによる蒸れを放散させるためメッシュ製でできている。用いるメッシュ材は、作業時に捩れを生じないものであれば、公知のものを、特に制限なく使用することができる。ポリエチレン、ポリプロピレン、ポリアミド、ポリエステルなどの合成樹脂製のものを好適に使用することができる。
【０００９】
本発明に用いる袋状前身ごろの長さは、胴衣背当部と接合している肩の線の首側内端から前身ごろ最下短までの長さである。
本発明の常時着用型救命胴衣は、その目的とする常時着用を達成するため作業性を良くする必要から、袋状前身ごろの長さは、４００〜７００ｍｍ、好ましくは４５０〜６００ｍｍにすることができる。前身ごろの長さは、４００ｍｍより短ければ対応浮力体を収容するには小さすぎ、７００ｍｍより長ければ作業性が著しく悪くなる。
この前身ごろの長さは、収納される浮力体の長さより短くするのが望ましい。この場合においては、浮力体はこの前身ごろの長さの範囲に収まるように適宜折り畳んで収納することができる。本発明救命胴衣に用いる浮力体４の折り畳み方法は、袋状前身ごろの内面からメッシュ製胴衣背当部３の上部内面に、着用者の首の後ろを回って左右同じ長さになるように折り曲げて収納された長尺の浮力体４が前身ごろ下端からはみ出している部分を折り畳み袋状前身ごろの内面に収納することができる。この折り畳み収納にあたっては、自動充気装置Ｂの注水孔８に折り畳み部分がかからぬようにする必要がある。自動充気装置Ｂへの水の到着の遅れを防ぐためである。前記状況を考慮し、折り畳み寸法は収納する浮力体の寸法に応じて適宜調節することができる。
【００１０】
本発明救命胴衣に用いる自動ガス充気装置Ｂを図４を用いて説明する。
本発明救命胴衣に用いる自動ガス充気装置Ｂは、自動膨脹式救命胴衣に使用する公知の自動ガス充気装置から、本発明救命胴衣に適するものを選択して使用することができる。
例えば、自動ガス充気装置［日本炭酸ガス(株)製、商品名「炭酸ガスボンベ」］を好適に使用することができる。
自動ガス充気装置は、通常、主要部品が膨脹用カートリッジ９、作動レバー１３、撃針、ボンベの封緘板、小型ガスボンベ７よりなっている。膨脹用カートリッジ９は、キャップ１１を取り外し自動ガス充気装置Ｂ内に装填することができる。その装填状況は膨脹用カートリッジ充填確認窓１２によって確認することができる。救命胴衣着用者の落水等により、常時着用型救命胴衣Ａが水に沈むと、注水孔８より水が浸入し、すぐ近くにある膨脹用カートリッジ９の水浸入小孔１０から内部に入り、紙芯が溶け自動ガス充気装置Ｂが作動しガスを噴出することができる。水浸入小孔１０から浸入した水によって紙芯が濡れて溶けると、紙芯によって圧縮状態で固定されていた連結スプリングが作動し、自動的に作動レバー１３が撃針を駆動して小型ガスボンベ７の封緘板を貫通させ、小型ガスボンベ７からガスが噴出し連通している浮力体４に注入する方式になっている。自動ガス充気装置Ｂの注水孔８から水が入った後、小型ガスボンベ７からガスが噴出し、連通している浮力体４に注入するまでは瞬時に起こるように設計、製作されている。
本発明救命胴衣に用いる自動ガス充気装置Ｂの小型ガスボンベ７は、本発明救命胴衣に用いる浮力体４に適合する圧力、ガス量のものから選択して使用することができる。ガスの種類は有害性のないものであれば特に制限なく使用することができる。炭酸ガスを特に好適に使用することができる。本発明に用いる自動ガス充気装置Ｂ用の小型ガスボンベ７は、ＣＯ２９０Ｎ／１４ｇ、１００Ｎ／１７ｇ、１００Ｎ／２４ｇ等を好適に使用することができる。
本発明救命胴衣に用いる自動ガス充気装置Ｂの注水孔８は、自動ガス充気装置Ｂに２個並んで設けられた小孔であって、自動ガス充気装置の内部と外部の空気が自由に出入りできる。該注水孔８は、内部に装着された膨脹用カートリッジ９の上部に２個並んで設けられた水浸入小孔１０に対峙する位置に設けられている。
また、本発明の常時着用型救命胴衣Ａは、着水前または緊急時には、手動方式によって、自動ガス充填装置Ｂに取り付けられている手動用作動索１４を引くことにより、作動レバー１３で駆動されるピンがガスボンベの封緘板を貫通させ、連結管を通って浮力体４内部にガスが瞬時に噴出し膨脹させることができる。
さらに、本発明の常時着用型救命胴衣Ａは、補助用として、呼気式充気装置を浮力体に装着することができる。
【００１１】
本発明救命胴衣の袋状前身ごろの脇縁Ｃは、内側気室カバー１と外側気室カバー２とが前身ごろ脇縁部で結合して袋状を形成する部分であって、船上作業時には、前身ごろの面ファスナー５によって封鎖固定することができる。前身ごろの面ファスナー５の代わりに、ボタン等で封鎖固定する方法もあるが、緊急時の急膨脹を阻害する場合があり、かつ、面ファスナーのように封鎖が完全でなく、隙間から雨水や波しぶきが流入し自動ガス充気装置Ｂを誤作動させることが多く好ましい封鎖手段ではない。
本発明救命胴衣の袋状前身ごろの内側気室カバーと外側気室カバーの結合部Ｇは、内側気室カバー１と外側気室カバー２とが前身ごろ内部で結合している部分である。
本発明救命胴衣に用いる前身ごろの面ファスナー５は、救命胴衣を常時着用しているときには、簡単には離脱せず浮力体４を封鎖固定でき、緊急時には、ガスの膨脹力によって該面ファスナーが直ちに離脱できることが必要である。この目的を達成できるものであれば、公知のものを特に制限なく使用することができる。
本発明救命胴衣に用いるベルト２１は、胴衣の両方の袋状前身ごろとメッシュ製胴衣背当部３の下縁を結合し、着用者の胴を回って、救命胴衣を着用者に強固に保持するものであり、水中で風雨、波浪によって激動しても着用者から救命胴衣が離脱しないものであれば、公知のものを、特に制限なく使用することができる。
本発明に用いるメッシュ製胴衣背当部上縁は、メッシュ製胴衣背当部３の上端であって、着用者の背中肩部分において前身ごろの襟元部と結合することができる。
【００１２】
本発明に用いる袋状前身ごろの襟元部は、左右連結した前身ごろの首部に形成される。
本発明に用いる袋状前身ごろの襟元部とメッシュ製胴衣背当部上縁との結合は、通常の結合方法を特に制限することなく使用することができる。例えば、縫製による縫い付け、熱融着による溶着、接着剤による接合などを使用することができる。縫製による縫い付けを特に好適に使用することができる。
本発明に用いる袋状前身ごろの襟元部の縫製による結合は、前身ごろとメッシュ製胴衣背当部上縁とを強固に結合するものであり、激しい作業などによる着用者の体の動きによって生ずる下方への引っ張り応力を分散させることができる。
下方への引っ張り応力の分散がないと、局部的に強い力が襟元を引っ張り、これが連動して襟の外縁の襟元固定面ファスナー（オス）Ｄ１を強く引くため襟元固定面ファスナー（メス）Ｄ２との固定力を超え離脱するものと考えられる。
本発明に用いる襟元部の縫製は、ナイロン又はポリエステル繊維製の縫製糸を好適に使用することができる。縫製糸の太さは２０番手以上、好ましくは５番手のものを使用することができる。襟元メッシュ製胴衣背当部縫製取り付け部Ｅで縫い付けできる。
本発明に用いる袋状前身ごろの襟の外縁は、袋状前身ごろの襟元首部の外側先端に形成される襟の外側部分であって、寒さを防ぐ場合や首部を保護する目的のためには襟を立てることができるが、通常、特に夏季には襟が立つと首にまとわりつき不快感を与え作業の障害になる。
本発明に用いる袋状前身ごろの襟の外縁は、通常作業時には、襟元固定面ファスナーによって固定することができ、首にまとわりつくのを防ぐことができる。
本発明に用いる袋状前身ごろの襟の外縁に設けた襟元固定面ファスナーは、前身ごろの脇縁面ファスナーと同種のものから選択することができるが、前身ごろの脇縁面ファスナーは浮力体を収納した前身ごろの脇縁Ｃを通常の作業では離脱しないような強さで封鎖する必要があり、通常離脱解放を繰り返すものではない。一方襟元固定面ファスナーは、気象状態によっては襟の立て伏せを頻繁に行う必要があり、強力な固定力を有する面ファスナーを使用することができない。
【００１３】
本発明に用いる袋状前身ごろの襟の外縁に設けた襟元固定面ファスナー（オス）Ｄ１は、メッシュ製胴衣背当部の上縁部の対峙する位置に設けた背当部側の襟元固定面ファスナー（メス）Ｄ２とともに前記の作業による下方への引っ張り応力に対抗して襟が立つのを防止するために設けるものである。
又、襟が立つのは襟元固定面ファスナー（オス）Ｄ１と襟元固定面ファスナー（メス）Ｄ２の離脱のためであるが、この離脱は、襟元固定面ファスナー（オス）Ｄ１と襟元メッシュ製胴衣背当部縫製取り付け部Ｅとの距離、すなわち、襟元固定面ファスナーとメッシュ製胴衣背当部上縁との間隔Ｌに密接な関係のあることが見出された。襟元固定面ファスナー（オス）Ｄ１を引く力が襟元固定面ファスナー（メス）Ｄ２面に及ぼす垂直方向分力に起因するものと推定され、前記間隔Ｌが大きいほど垂直方向分力が大きく、前記距離が小さいほど襟元固定面ファスナー（メス）Ｄ２面に及ぼす力は、水平方向分力が大きく、すなわち、面ファスナー同士の離脱を起こす垂直方向分力が小さくなるためと推定される。
前述したように、襟元固定面ファスナーは、気象状態によっては襟の立て伏せを頻繁に行う必要があり、強力な固定力を有する面ファスナーを使用することができない。したがって、襟が立つのを防止するためには、本発明に用いる襟元固定面ファスナー（オス）Ｄ１を引く力によって生ずる襟元固定面ファスナー（メス）Ｄ２面における垂直方向分力（離脱力）が、本発明に用いる襟元固定面ファスナー固定力より小さいものでなければならない。
この条件を探索の結果、本発明に用いる袋状前身ごろの襟の外縁に設けた襟元固定面ファスナーとメッシュ製胴衣背当部上縁との間隔Ｌは、３ｃｍ以内にすることが必要であることを見出した。３ｃｍを超えると襟元固定面ファスナーが離脱し、襟元が立ち上がり首にまとわりつくのを防ぐ効果はない。
【産業上の利用可能性】
【００１４】
本発明によれば、日常作業に支障のない着心地と作業性が良く、作業時に襟が立ち上がるのを防止でき、着用者が水中に転落した場合には、速やかに水が自動ガス充気装置に到達して作動させ、浮力体を膨張させるので、高齢者や小児などの弱者をも安全に救命することができる。
【図面の簡単な説明】
【００１５】
【図１】未膨脹時の常時着用型救命胴衣の外側気室カバーを開いた内面斜視図である。
【図２】常時着用型救命胴衣の背面部の斜視図である。
【図３】背当部と襟部の結合を示す側面図である。
【図４】自動ガス充気装置の１例を示す斜視図である。
【図５】本発明の常時着用型救命胴衣の他の態様の説明図である。
【図６】通気シートに設ける穴の一態様の説明図である。
【図７】本発明の常時着用型救命胴衣の他の態様の説明図である。
【符号の説明】
【００１６】
Ａ  常時着用型救命胴衣
Ｂ  自動ガス充気装置
Ｃ  前身ごろの脇縁
Ｄ１  襟元固定面ファスナー（オス）
Ｄ２  襟元固定面ファスナー（メス）
Ｅ  襟元メッシュ製胴衣背当部縫製取り付け部
Ｇ  内側気室カバーと外側気室カバーの結合部
Ｌ  襟元固定面ファスナーとメッシュ製胴衣背当部上縁との間隔
１  内側気室カバー
２  外側気室カバー
３  メッシュ製胴衣背当部
４  浮力体
５  前身ごろの脇縁面ファスナー
６  通気シート
６'  通気シート
７  小型ガスボンベ
８  注水孔
９  膨脹用カートリッジ
１０  水浸入小孔
１１  キャップ
１２  膨脹用カートリッジ充填確認窓
１３  作動レバー
１４  手動用作動索
２０  首部固定ベルト
２１  ベルト
２２  円形の穴
２３  カバー
２４  弦
２５  脱気孔
【図１】
2004244009.tif 000003
【図２】
2004244009.tif 000004
【図３】
2004244009.tif 000005
【図４】
2004244009.tif 000006
【図５】
2004244009.tif 000007
【図６】
2004244009.tif 000008
【図７】
2004244009.tif 000009